(57)【要約】【課題】  ＣＲＴ装置のピュリティ調整をマグネットを用いて行う場合に、そのマグネットの貼付位置を数値化することにより、貼付位置についての情報授受の明確化を図る。【解決手段】  ＣＲＴ本体１２の背面１２ａにマグネット５を貼付することによってピュリティ調整を行うテレビション受像機のＣＲＴ装置において、ＣＲＴ本体１２の背面１２ａに、マグネット５の貼付位置を数値化して指し示すことのできるマトリックス３を表示する。マトリックス３は、互いに直交する異なる符号の付された縦線及び横線を有する直角座標で形成することが可能である。【選択図】        図１
2006351478.tif 000002
【特許請求の範囲】
【請求項１】
ＣＲＴ本体の背面にマグネットを貼付することによってピュリティ調整が行われるテレビション受像機のＣＲＴ装置において、
上記ＣＲＴ本体の背面に、上記マグネットの貼付位置を数値化して指し示すことのできるマトリックスを表示してなり、そのマトリックスが、互いに直交する異なる符号の付された縦線及び横線を有する直角座標でなることを特徴とするテレビション受像機のＣＲＴ装置。
【請求項２】
ＣＲＴ本体の背面にマグネットを貼付することによってピュリティ調整が行われるテレビション受像機のＣＲＴ装置において、
上記ＣＲＴ本体の背面に、上記マグネットの貼付位置を数値化して指し示すことのできるマトリックスを表示してあることを特徴とするテレビジョン受像機のＣＲＴ装置。
【請求項３】
上記マトリックスが、互いに直交する縦線と横線とでなる座標でなる請求項２に記載したテレビジョン受像機のＣＲＴ装置。
【請求項４】
上記マトリックスが、格子点の集合でなる請求項２に記載したテレビジョン受像機のＣＲＴ装置。
【請求項５】
上記マトリックスが、放射状に延びる等角度おきの直線とそれらの直線に交差する同心の円線とでなる請求項２に記載したテレビジョン受像機のＣＲＴ装置。
【発明の詳細な説明】
【技術分野】
【０００１】
本発明は、テレビション受像機のＣＲＴ装置、特に、ＣＲＴ本体の背面にマグネットを貼付することによってピュリティ調整が行われるテレビション受像機のＣＲＴ装置に関する。
【背景技術】
【０００２】
従来より、マグネットを用いるＣＲＴのピュリティ調整に関して様々な研究が行われている（たとえば、特許文献１、特許文献２参照）。また、陰極線管のコンバーゼンスを自動調整することについての研究も行われている（たとえば、特許文献３参照）。このうち、特許文献１には、カラー陰極線管に関し、ピュリティ調整のためのマグネットの貼付位置を決定するための手段についての記載があり、特許文献２には、カラーブラウン管のピュリティ調整とコンバーゼンス調整を行う場合に、カラーブラウン管のネック部に装着された６枚のマグネットを回転させて位置決めすること、並びに、そのような６枚のマグネットの回転と位置決めとを作業者の手作業に頼らずにマグネット位置決め駆動装置を用いて行うこと、などについての記載がなされている。さらに、特許文献３には、供試管のシャドウマスクに設けられたインデックスパターンから得られる検出信号に基づいてモニタ上に検査結果を表すパターン映像を表示させ、シャドウマスク全体についてインデックスパターンの形成状態を検査する装置に関する記述がなされている。
【０００３】
一方、図４にはテレビジョン受像機のＣＲＴ装置（陰極線管装置）１を概略側面図で示し、図５にはピュリティ調整のために用いられるマグネット５を斜視図で示してある。図４のように、このＣＲＴ装置１は、前面が表示面として形成されたガラスバルブでなるＣＲＴ本体１２を備えていて、そのネック１３の根元に偏向コイル１４が外付けされている。そして、このＣＲＴ装置１では、マグネット５の適正な貼付位置を決定した後で、そのＣＲＴ本体の背面１２ａの適正箇所に図５に示したラバーマグネットでなるマグネット５をその裏面に保持させてある粘着剤で貼付することによってピュリティ調整が行われる。
【特許文献１】特開昭６２−１０３９３９号公報
【特許文献２】特開昭５８−１９７６３１号公報
【特許文献３】特開平１−１１４１９１号公報
【発明の開示】
【発明が解決しようとする課題】
【０００４】
本願発明者は、図４に示したＣＲＴ装置１において、図５のマグネット５の貼付位置を工場などでの組立作業者やＣＲＴ本体１の製造者に知らせるための情報を数値化しておくと、組立作業者や製造者がその貼付位置を数値化された情報に基づいて正確に把握することが可能になり、ピュリティ調整のための負担が軽減されるものと考えた。
【０００５】
これに対し、上掲の各特許文献１に記載されているものは、マグネットを貼付するのに先立って行われるピュリティ調整のためのマグネットの貼付位置を決定する手段に関するものであるに過ぎない。また、特許文献２に記載されているものは、マグネットを貼付することによるピュリティ調整に関するものではない。
【０００６】
本発明は以上の状況の下でなされたものであり、ＣＲＴ本体の背面でのマグネットの適正な貼付位置を決定した後に行われるマグネット貼付作業を、数値化された明確な情報に基づいて行うことを可能にすることのできるテレビジョン受像機のＣＲＴ装置を提供することを目的とする。
【０００７】
また、本発明は、マグネット貼付作業を数値化された情報に基づいて行うことを可能にすることによって、組立作業者やＣＲＴ製造者と貼付位置決定者との間での貼付位置についての明確な情報の授受が可能になるテレビジョン受像機のＣＲＴ装置を提供することを目的とする。
【課題を解決するための手段】
【０００８】
本発明に係るテレビジョン受像機のＣＲＴ装置は、ＣＲＴ本体の背面にマグネットを貼付することによってピュリティ調整が行われるテレビション受像機のＣＲＴ装置において、上記ＣＲＴ本体の背面に、上記マグネットの貼付位置を数値化して指し示すことのできるマトリックスを表示してあるというものである。この構成を備えたＣＲＴ装置では、ＣＲＴ本体の背面に表示されたマトリックスを利用してマグネット貼付位置のついての情報を数値化して明確に授受することが可能になり、また、数値化された貼付位置に基づいて組立作業者やＣＲＴ装置の製造者がマグネットを適正な位置に貼付することが可能になる。
【０００９】
本発明において、上記マトリックスは、互いに直交する縦線と横線とでなる座標でなるものであっても、格子点の集合でなるものであっても、放射状に延びる等角度おきの直線とそれらの直線に交差する同心の円線とでなるものであってもよい。さらに、上記マトリックスは、上記した以外の線図、柄模様などであってもよく、要するに、マグネットの貼付位置を数値化して指し示すことのできるものであればよい。
【００１０】
本発明に係るテレビジョン受像機のＣＲＴ装置では、ＣＲＴ本体の背面にマグネットを貼付することによってピュリティ調整が行われるテレビション受像機のＣＲＴ装置において、上記ＣＲＴ本体の背面に、上記マグネットの貼付位置を数値化して指し示すことのできるマトリックスを表示してなり、そのマトリックスが、互いに直交する異なる符号の付された縦線及び横線を有する直角座標でなる、という構成を採用することが可能である。この構成において、たとえば縦線をＸ座標に振り分け、横線をＹ座標に振り分ければ、マグネットの貼付位置がＸＹ座標の組み合わせによって数値化されるため、貼付位置を数値化された情報を介して、組立作業者やＣＲＴ装置の製造者と貼付位置決定者との間で正確に授受することが可能になるだけでなく、作業者やＣＲＴ装置の製造者は、そのように数値化された情報に基づいてマグネットを適正位置に正確に貼付することが可能になる。
【発明の効果】
【００１１】
以上のように、本発明によれば、ＣＲＴ本体自体にピュリティ調整のためのマグネットの貼付位置を数値化して指し示すマトリックスが表示されているので、そのマトリックスを利用して組立作業者やＣＲＴ装置の製造者と貼付位置決定者との間でマグネットの貼付位置を正確に授受することが可能になり、その貼付位置の数値管理や指示を明確にかつ正確に行うことができるだけでなく、作業者や製造者にとっては、マグネット貼付作業を、数値化された明確な情報に基づいて正確に行うことが容易に可能になる。そして、そのことが、画像歪みや色むらの少ない画像品質に優れるＣＲＴ装置を提供することに役立つので、ユーザにとっては高品質の画像を楽しむことができるようになるという効果が奏される。
【発明を実施するための最良の形態】
【００１２】
図１は本発明の実施形態に係るＣＲＴ装置を示してあり、同図において、２はＣＲＴ本体１２の背面の投映輪郭線を示している。同図のように、この実施形態では、ＣＲＴ本体１２の背面１２ａに、互いに直交する縦線及び横線を格子状に組み合わせてなるマトリックス３を表示し、そのマトリックス３の縦線にはアルファベットでなる符号（Ａ〜Ｋ）を付し、横線には数字でなる符号（１〜１５）を付してある。言い換えると、マトリックス３がＸＹ直角座標によって形成されている。
【００１３】
したがって、このＣＲＴ装置において、縦線（Ａ〜Ｋ）をＸ座標に振り分け、横線（１〜１５）をＹ座標に振り分ければ、マグネットの貼付位置がＸＹ座標の組み合わせによって数値化される。たとえば、マグネットの貼付位置が座標（Ｊ，４）と決定されれば、貼付位置決定者は、適正な貼付位置が座標（Ｊ，４）であるという数値化された情報を組立作業者やＣＲＴ製造者に知らせればよく、そのような数値化された情報を知らされた組立作業者やＣＲＴ製造者は、その情報に基づいて図５に示したマグネット５を、図１に仮想線で示すように、マトリックス３によって指し示される座標（Ｊ，４）の箇所に貼付すればよい。この実施形態では、上記したような数値化された情報のやりとりを行うだけでマグネット５が適正な貼付位置に貼付されてピュリティ調整が適切に行われる。
【００１４】
以上では、マトリックス３によって数値化して指し示される１箇所だけにマグネット５を貼付する事例を説明したけれども、ピュリティ調整のために２箇所又はそれより多い複数箇所にマグネットを貼付する必要があるときには、複数の貼付位置を示す数値化された座標を知らせることによってそれらすべての貼付位置にマグネットが正確に貼付されるようになる。
【００１５】
図２は本発明の他の実施形態に係るＣＲＴ装置を示してあり、同図において、２は上記同様にＣＲＴ本体１２の背面の投映輪郭線を示している。この事例では、マトリックス３が、格子点の集合でなる。図示された格子点は、図１に示した縦線と横線との交点に位置している。そして、図２のように、格子点の縦列に符号（Ａ〜Ｋ）を付し、格子点の横列に符号（１〜１５）を付してある。
【００１６】
したがって、このＣＲＴ装置において、縦列の格子点（Ａ〜Ｋ）をＸ座標に振り分け、横列の格子点（１〜１５）をＹ座標に振り分ければ、図１の場合と同様に、マグネットの貼付位置がＸＹ座標の組み合わせによって数値化される。たとえば、マグネットの貼付位置が座標（Ｊ，４）と決定されれば、貼付位置決定者は、適正な貼付位置が座標（Ｊ，４）であるという数値化された情報を組立作業者やＣＲＴ製造者に知らせればよく、そのような数値化された情報を知らされた組立作業者やＣＲＴ製造者は、その情報に基づいて図５に示したマグネット５を、図２に仮想線で示すように、マトリックス３によって指し示される座標（Ｊ，４）の箇所に貼付すればよい。ピュリティ調整のために２箇所又はそれより多い複数箇所にマグネットを貼付する必要があるときも同様である。その他の事項は、図１を参照して説明したところと同様である。
【００１７】
図３は本発明のさらに他の実施形態に係るＣＲＴ装置を示してあり、同図において、２は上記同様にＣＲＴ本体１２の背面の投映輪郭線を示している。この事例では、マトリックス３が、放射状に延びる等角度おきの直線とそれらの直線に交差する同心の円線とでなる。そして、図３のように、同心の円線に符号（Ａ〜Ｅ）を付し、放射状の直線に符号（０〜１１）を付してある。
【００１８】
したがって、このＣＲＴ装置によれば、マグネットの貼付位置が円座標の組み合わせによって数値化される。たとえば、マグネットの貼付位置が座標（Ｃ，１０）と決定されれば、貼付位置決定者は、適正な貼付位置が座標（Ｃ，１０）であるという数値化された情報を組立作業者やＣＲＴ製造者に知らせればよく、そのような数値化された情報を知らされた組立作業者やＣＲＴ製造者は、その情報に基づいて図５に示したマグネット５を、図３に仮想線で示すように、マトリックス３によって指し示される座標（Ｃ，１０）の箇所に貼付すればよい。ピュリティ調整のために２箇所又はそれより多い複数箇所にマグネットを貼付する必要があるときも同様である。その他の事項は、図１を参照して説明したところと同様である。
【００１９】
図１〜図３において、１００は偏向コイルの配備箇所を示し、２００はＣＲＴアノードの配備箇所を示している。
【００２０】
上記した各実施形態において、マトリックス３を表示する手段には、ガラスバルブでなるＣＲＴ本体１２の背面１２ａに、マトリックス３を現す掻き傷を形成するという方法、マトリックス３を現す印刷を施すという方法、マトリックス３を表示したフィルムを貼り付けるという方法、などを好適に採用することが可能である。また、ピュリティ調整に使われるマグネット５の形状は、図５に示した矩形の他、円形、楕円形といった様々な形状から選択することが可能である。
【図面の簡単な説明】
【００２１】
【図１】本発明の実施形態に係るＣＲＴ装置についてのマトリックスを示した投映図である。
【図２】本発明の他の実施形態に係るＣＲＴ装置についてのマトリックスを示した投映図である。
【図３】本発明のさらに他の実施形態に係るＣＲＴ装置についてのマトリックスを示した投映図である。
【図４】テレビジョン受像機のＣＲＴ装置の概略側面図である。
【図５】ピュリティ調整のために用いられるマグネット５の斜視図である。
【符号の説明】
【００２２】
１  ＣＲＴ装置
３  マトリックス
５  マグネット
１２  ＣＲＴ本体
１２ａ  ＣＲＴ本体の背面
【図１】
2006351478.tif 000003
【図２】
2006351478.tif 000004
【図３】
2006351478.tif 000005
【図４】
2006351478.tif 000006
【図５】
2006351478.tif 000007